(57)【特許請求の範囲】
【請求項１】
ゴルフ靴のソール（４０）に埋設するためのフランジ部（１１）を有するスパイク受け座（１０）に、スパイク本体（２０）を着脱自在に締結したゴルフ靴用スパイクであって、
前記スパイク受け座（１０）は、
前記フランジ部（１１）の内周に沿って形成した、一定方向に傾斜した歯先を有する傾斜鋸部（１４）と、
該傾斜鋸部（１４）の内周縁に、回転軸方向に沿って傾斜すると共に突出するように形成した複数の円弧状の係合傾斜片（１３）と、
該傾斜鋸部（１４）の内周に形成した、前記スパイク本体（２０）を締結するための略リング状の空間を有する締結ホール（１２）と、
該締結ホール（１２）の中央に形成した、ネジ締結部材（３１）を有する汎用されているスパイク本体（３２）を締結する際に用いる、円筒内にネジ山を刻設した螺合部（１５）と、から成るものであり、
前記スパイク本体（２０）は、
フランジ部（２１）の内周に沿って形成した、前記スパイク受け座（１０）の傾斜鋸部（１４）と係合するように、一定方向に傾斜した歯先を有する傾斜鋸部（２４）と、
前記締結ホール（１２）内に緊密に挿入され、前記係合傾斜片（１３）の隙間を通って該係合傾斜片（１３）の裏面に密着する傾斜面を有する円弧状の傾斜突起（２３）を持つ係合筒（２２）と、から成るものであり、
前記係合傾斜片（１３）及び傾斜突起（２３）は、前記スパイク受け座（１０）に前記スパイク本体（２０）を締結するときに、前記締結ホール（１２）及び係合筒（２２）が向かい合い、それぞれ接触する位置にあり、かつ係合筒（２２）の外周縁に形成された傾斜突起（２３）が締結ホール（１２）の内周縁に形成された係合傾斜片（１３）と衝突しないで挿入できるように構成した、ことを特徴とするゴルフ靴用スパイク。
【発明の詳細な説明】
【０００１】
【発明の属する技術分野】
本発明は、ゴルフ靴のソールに取り付けるスパイクに係り、特にスパイク本体が磨耗又は破損したときに容易に交換することができるゴルフ靴用スパイクに関するものである。
【０００２】
【従来の技術】
従来より、ゴルフ靴用のスパイクは、ナットとスパイク本体とから構成され、ナットはスパイク本体を締結するためにその全体がゴルフ靴底（ソール）に埋設固定されている。このスパイクは、ナットとスパイク本体とを一体型にしたものが主流に成っている。しかし、この一体型のスパイクは、金属と合成樹脂といった物性が違うため、ナットとスパイク本体との堅固な締結が難しく、耐久性が悪かった。そこで、ナットとスパイク本体では分離してゴルフ靴底に埋設されたナットに、スパイク本体をネジ式に締結する構造のものが提案されている。
【０００３】
また、最近はナットにスパイク本体を容易に締結し得る構造のものが提案されている。例えば、スパイク受け座に略三角状の孔からなる三角ホームを形成し、この三角ホームに締結されるスパイク本体は、その中央部をこの三角ホームに係合する三角突起状に形成したものである。そこで、三角ホームに三角突起を挿入し、この三角突起を少し回転させると三角ホームにスパイク本体を容易に締結固定できるようになっている。
【０００４】
【発明が解決しようとする課題】
しかし、上記従来のネジ締結式の構造では、スパイク本体を数回回転させないと締結することができないので、１足のゴルフ靴に８個前後のスパイク本体を取り付ける際に長時間を要するという問題を有していた。更に、そのスパイク本体のネジの締結部分が緩みやすいために、ゴルフ靴の使用中にスパイク本体が離脱するという問題を有していた。
【０００５】
また、上記従来の三角ホームと三角突起とからなる構造では、そのスパイクの締結に時間を要しないが、スパイク受け座とスパイク本体が単純な三角ホームと三角突起という構造であるために、軽い衝撃でスパイク本体がスパイク受け座から容易に離脱しやすいというという問題を有していた。
【０００６】
本発明は、上述した問題点を解決するために創案されたものである。すなわち本発明の目的は、ゴルフ靴の靴底にスパイクを迅速かつ堅固に締結することができると共に、スパイクが磨耗又は破損したときに、新たなスパイクに容易に交換することができ、ゴルフ靴の使用期間を延長させることができるゴルフ靴用スパイクを提供することを目的とするものである。
【０００７】
【課題を解決するための手段】
本発明によれば、ゴルフ靴のソール（４０）に埋設するためのフランジ部（１１）を有するスパイク受け座（１０）に、スパイク本体（２０）を着脱自在に締結したゴルフ靴用スパイクであって、前記スパイク受け座（１０）は、前記フランジ部（１１）の内周に沿って形成した、一定方向に傾斜した歯先を有する傾斜鋸部（１４）と、該傾斜鋸部（１４）の内周縁に、回転軸方向に沿って傾斜すると共に突出するように形成した複数の円弧状の係合傾斜片（１３）と、該傾斜鋸部（１４）の内周に形成した、前記スパイク本体（２０）を締結するための略リング状の空間を有する締結ホール（１２）と、該締結ホール（１２）の中央に形成した、ネジ締結部材（３１）を有する汎用されているスパイク本体（３２）を締結する際に用いる、円筒内にネジ山を刻設した螺合部（１５）と、から成るものであり、前記スパイク本体（２０）は、フランジ部（２１）の内周に沿って形成した、前記スパイク受け座（１０）の傾斜鋸部（１４）と係合するように、一定方向に傾斜した歯先を有する傾斜鋸部（２４）と、前記締結ホール（１２）内に緊密に挿入され、前記係合傾斜片（１３）の隙間を通って該係合傾斜片（１３）の裏面に密着する傾斜面を有する円弧状の傾斜突起（２３）を持つ係合筒（２２）と、から成るものであり、前記係合傾斜片（１３）及び傾斜突起（２３）は、前記スパイク受け座（１０）に前記スパイク本体（２０）を締結するときに、前記締結ホール（１２）及び係合筒（２２）が向かい合い、それぞれ接触する位置にあり、かつ係合筒（２２）の外周縁に形成された傾斜突起（２３）が締結ホール（１２）の内周縁に形成された係合傾斜片（１３）と衝突しないで挿入できるように構成した、ことを特徴とするゴルフ靴用スパイクが提供される。
【０００８】
上記発明の構成では、スパイク受け座（１０）には係合傾斜片（１３）と締結ホール（１２）を構成し、スパイク本体（２０）の中央の係合筒（２２）には係合傾斜片（１３）と係合する傾斜突起（２３）を構成しているので、傾斜突起（２３）を回転させるとスパイク本体（２０）がスパイク受け座（１０）側へ引っ張られるように締結する。特に、スパイク本体（２０）の係合筒（２２）は、スパイク受け座（１０）の螺合部（１５）が挿入されているので、この係合筒（２２）の外周縁に形成された傾斜突起（２３）が締結ホール（１２）の内周縁に形成された係合傾斜片（１３）と係合し、該締結ホール（１２）の中心軸方向への逃げを阻止しているので、スパイク受け座（１０）にスパイク本体（２０）を緊密に締結することができる。
【０００９】
一方、スパイク受け座（１０）のフランジ部（１１）及びスパイク本体（２０）のフランジ部（２１）には相互に係合する傾斜鋸部（１４，２４）を構成し、スパイク本体（２０）の逆回転を阻止するために、スパイク本体（２０）はスパイク受け座（１０）側へ締め付けられ、容易に締結できると共に堅固な締結状態を長期間維持することができる。
また、本発明はスパイク受け座（１０）のフランジ部（１１）の中央には螺合部（１５）を構成しているので、汎用されているネジ締結式のスパイク本体（３２）のネジ締結部材（３１）を締結することができる。
【００１０】
【発明の実施の形態】
以下、本発明の好ましい実施の形態を図面を参照して説明する。
図１は本発明のゴルフ靴用スパイクの実施の形態を示す分解斜視図である。図２はスパイク本体をスパイク受け座に締め付ける状態を示す断面図であり、（ａ）はスパイク本体を締め付ける前の状態、（ｂ）はスパイク本体を締め付けた後の状態である。図３はスパイク本体をスパイク受け座に締め付けた状態を示す断面図である。
本発明のゴルフ靴用スパイクは、ゴルフ靴のソール４０に埋設するためのフランジ部１１を有するスパイク受け座１０に、スパイク本体２０を着脱自在に締結したものである。このスパイク受け座１０は、合成樹脂製のフランジ部１１の内周に沿って形成した一定方向に傾斜した歯先を有する傾斜鋸部１４と、この傾斜鋸部１４の内周縁に回転軸方向に沿って突出する複数の円弧状の係合傾斜片１３とから成るものである。更に、傾斜鋸部１４の内周には、スパイク本体２０を締結するための略リング状の空間を有する締結ホール１２を形成し、この締結ホール１２の中央に円筒内にネジ山を刻設した金属製の螺合部１５を設けたものである。
【００１１】
スパイク本体２０は、フランジ部２１の内周に沿って形成した、スパイク受け座１０の傾斜鋸部１４と係合するように、一定方向に傾斜した歯先を有する傾斜鋸部２４と、前述した締結ホール内に挿入され、係合傾斜片１３の隙間を通ってこの係合傾斜片１３の裏面に密着されるように傾斜面を有する円弧状の傾斜突起２３を持つ係合筒２２とから成るものである。
【００１２】
本発明のスパイク受け座１０は、ゴルフ靴の底４０に埋設し、固定される。スパイク本体２０を締結するため締結ホール１２及び傾斜鋸部１４そして螺合部１５等は外部に露出するようになる。スパイク受け座１０とスパイク本体２０それぞれの傾斜鋸部１４、２４は互いに向かい合う構造で各段位の鋸の歯先が直交を成す構造ではなく鋭角の傾斜面を成し、その傾斜面と相互に対応した構造である。スパイク受け座１０の締結ホール１２は、その内側の突出構成された螺合部１５を中心に、その回りに略リング状の空間を有する締結ホール１２を有する構造である。従って、このような締結ホール１２に挿入されるスパイク本体２０の係合筒２２は断面円形のパイプ形態として締結ホール１２に緊密に挿入するようになっている。
【００１３】
係合傾斜片１３及び傾斜突起２３は、スパイク受け座１０にスパイク本体２０と締結するときに、締結ホール１２及び係合筒２２が向かい合い、それぞれ接触する位置にある。各スパイク受け座１０にスパイク本体２０を締結するためにはスパイク本体２０の係合筒２２をスパイク受け座の締結ホール１２に一致させて挿入する。この時に係合筒２２の外周縁に形成された傾斜突起２３が締結ホール１２の内周縁に形成された係合傾斜片１３と衝突しないように挿入できる。
【００１４】
この締結状態は、図２（ａ）、（ｂ）に示すように、スパイク受け座１０とスパイク本体２０の締結時の係合傾斜片１３と傾斜突起２３の作用を示すために、一部を仮想線で図示している。先ず、図２（ａ）に示すように、スパイク本体２０の係合筒２２を、スパイク受け座１０の締結ホール１２に一致させ、係合筒２２の傾斜突起２３を締結ホール１２の係合傾斜片１３と衝突しないように、その隙間から係合筒２２を締結ホール１２内側へ挿入する。このような状態で係合筒２２に形成した傾斜突起２３の片側の先端(板厚の薄い部分)が締結ホール１２に形成した傾斜突起１３の先端(板厚の薄い部分)より少し上側に位置する状態になる。
【００１５】
次に、図２（ｂ）に示すように、スパイク本体２０を一方向に回転させると係合傾斜片１３及び傾斜突起２３の各傾斜面が互いに密着し、板厚の厚い部分に移動し、スパイク本体２０の係合筒２２がスパイク受け座１０側に引っ張られる。
そこで、係合筒１０は締結ホール１２の内側に更に深く挿入し、スパイク本体２０はスパイク受け座１０に密着する。そして、上記スパイク本体２０が回転しながら移動し、スパイク受け座１０のフランジ部１１に形成した傾斜鋸部１４とこれと向かい合うスパイク本体２０のフランジ部２１に形成した傾斜鋸部２４は相互の回転摩擦によって確実に締結する。即ち、各傾斜鋸部１４、２４は、スパイク受け座１０にスパイク本体２０を締結するため、スパイク本体２０を回転させると瞬時に締結し、このときの傾斜鋸部１４，２４はそれぞれの傾斜面が相互係合するように傾斜する歯先を有しているために摩擦抵抗を大きくすることができる。なお、傾斜鋸部１４，２４が瞬間的に反撥する作用が発生するので、スパイク本体２０を小さい工具を利用して強制回転させ、取り外すこともできる。特に、スパイク受け座１０及びスパイク本体２０のフランジ部１１，２１は合成樹脂又はウレタン材質で製造したときは、ある程度の弾性力を有するので瞬間的に変形し、容易に係合させることができる。
【００１６】
本発明は上述したように、スパイク受け座１０とスパイク本体２０の締結過程を詳細に説明したが、具体的にはスパイク本体２０の係合筒２２をスパイク受け座１０の締結ホール１２へ進入させる直後に、スパイク本体２０を回転させる。
この時スパイク本体２０がスパイク受け座２２と密着するように瞬間的に各傾斜鋸部１４，２４は相互係合するので、極めて短い時間で締結が完了する。特に、スパイク本体２０をスパイク受け座１０に密着(締結)させるためには、係合傾斜片１３上で傾斜突起２３の移動距離は、スパイク本体２０の回転角度は約９０度前後であり、スパイク本体２０を極めて短い回転動作で瞬間的に締結が完了する。
【００１７】
従って、本発明はゴルフ靴の底４０に多数のスパイクを構成するにときに、極めて迅速に締結作業することができる。一方、スパイク本体２０をスパイク受け座１０から離脱させるためには、係合筒２２の傾斜突起２３を締結ホール１２の係合傾斜片１３から離脱させなければならない。また、傾斜突起２３が係合傾斜片１３から離脱させるためにはスパイク本体２０を逆回転させなければならない。本発明では、傾斜鋸部１４，２４によりこの逆回転を完璧に阻止している。このように本発明は係合傾斜片１３及び傾斜突起２３によるスパイク本体２０の離脱を防止し、またこのような係合傾斜片１３及び傾斜突起２３の係合を解除(スパイク本体２０の逆回転)しないように、傾斜鋸部１４，２４が防止するように補完的な締結構造になっている。そこで、スパイク受け座１０とスパイク本体２０の迅速な締結と共に、堅固な締結状態を長期間維持することができる。
【００１８】
図４は本発明のスパイク受け座に従来のネジ式のスパイク本体を締結した状態を示す断面図である。
本発明は、図４に示すようにスパイク受け座１０の中央部に金属製の円筒内にネジ山を刻設した螺合部１５を構成してある。スパイク本体２０の破損や長期間使用によるスパイク本体２０の磨耗等によるスパイク本体２０の機能が喪失する場合がある。従来はゴルフ靴を新しく購入していたが、本発明ではスパイク本体２０を小さい工具等を利用して取り外した後、市販している汎用したスパイク本体３２を購入して、これに形成されたネジ締結部材３１を、スパイク受け座１０の螺合部１５に締結して使用することにより、ゴルフ靴の使用期間を延長することができる。
【００１９】
図５は本発明のスパイク本体の他の実施の形態を示す斜視図である。
この実施の形態のスパイク本体２０は、係合筒２２の回転軸方向に突出する突出軸３２を形成した。この突出軸３２は係合筒２２の開口端より外方へやや突出し、その先端がスパイク受け座１０の螺合部１５の底部に衝突するようになっている。この突出軸３２は、スパイク本体２０をスパイク受け座１０に締結する前では、スパイク本体２０がスパイク受け座１０から浮いた状態にするために、締結前であることを容易に示す作用があり、締め忘れを防止することができる。
【００２０】
なお、本発明は上述した各実施の形態に限定されず、傾斜突起２３と係合傾斜片１３との係合により離脱防止し、各傾斜鋸部１４，２４との係合により回転阻止させることにより、スパイク本体２０をスパイク受け座１０に締結することができる構成であれば、図示したスパイク受け座１０とスパイク本体２０のような構成に限定されず、本発明の要旨を逸脱しない範囲で種々変更できることは勿論である。
【００２１】
【発明の効果】
上述したように、本発明のゴルフ靴用スパイクは、スパイク受け座とスパイク本体を迅速かつ確実に締結することができる。その締結も堅固であるために、ゴルフ靴を長期間使用することができる。また、簡単な構造であるために価格を低廉化することができる。
【００２２】
本発明はスパイク受け座には、さらに螺合部を構成してあるので、従来の市販のネジ式の汎用性のあるスパイク本体と締結して使用でき、ゴルフ靴の使用期間を更に延長させることができる、等の効果がある。
【図面の簡単な説明】
【図１】本発明のゴルフ靴用スパイクの実施の形態を示す分解斜視図である。
【図２】図２はスパイク本体をスパイク受け座に締め付ける状態を示す断面図であり、（ａ）はスパイク本体を締め付ける前の状態、（ｂ）はスパイク本体を締め付けた後の状態である。
【図３】スパイク本体をスパイク受け座に締め付けた状態を示す断面図である。
【図４】本発明のスパイク受け座に従来のネジ式のスパイク本体を締結した状態を示す断面図である。
【図５】本発明のスパイク本体の他の実施の形態を示す斜視図である。
【符号の説明】
１０  スパイク受け座
１１  フランジ部
１２  締結ホール
１３  係合傾斜片
１４  傾斜鋸部
１５  螺合部
２０  スパイク本体
２１  フランジ部
２２  係合筒
２３  傾斜突起
２４  傾斜鋸部
４０  ゴルフ靴のソール
【図１】
0003691025.tif 000002
【図２】
0003691025.tif 000003
【図３】
0003691025.tif 000004
【図４】
0003691025.tif 000005
【図５】
0003691025.tif 000006